(57)【要約】【課題】本発明は左右の建物が異なる左右方向に大きく揺れ動いても、複数枚の目地カバーの小さな伸縮移動で、その揺れ動きを閉状態で吸収して、風雨や空間の遮断を図ることができる壁用目地カバー装置を得るにある。【解決手段】目地部を介して設けられた左右の建物の、目地部側の端部より内側部位の左右の躯体に両端部が枢支された中央枢支部が、常時目地部の中央部に位置する少なくとも2個以上の中央維持リンク機構と、この少なくとも2個以上の中央維持リンク機構の中央枢支部に枢支された支柱と、一端部が前記左右の建物の目地部側の端部に枢支され、他端部が前記支柱に枢支された少なくとも一対の伸縮リンク、この少なくとも一対の伸縮リンクの両端部に両端部が取付けられた複数枚の目地カバーを伸縮可能に取付けた一対の壁用目地カバー装置とで壁用目地カバー装置を構成している。【選択図】      図３
2005054425.tif 000002
【特許請求の範囲】
【請求項１】
目地部を介して設けられた左右の建物の、目地部側の端部より内側部位の左右の躯体に両端部が枢支された中央枢支部が、常時目地部の中央部に位置する少なくとも２個以上の中央維持リンク機構と、この少なくとも２個以上の中央維持リンク機構の中央枢支部に枢支された支柱と、一端部が前記左右の建物の目地部側の端部に枢支され、他端部が前記支柱に枢支された少なくとも一対の伸縮リンク、この少なくとも一対の伸縮リンクの両端部に両端部が取付けられた複数枚の目地カバーを伸縮可能に取付けた一対の壁用目地カバー装置とからなることを特徴とする壁用目地カバー装置。
【請求項２】
目地部を介して設けられた左右の建物の、目地部側の端部より内側部位の左右の躯体に両端部が枢支された中央枢支部が、常時目地部の中央部に位置する少なくとも２個以上の中央維持リンク機構と、この少なくとも２個以上の中央維持リンク機構の中央枢支部に枢支された支柱と、一端部が前記左右の建物の目地部側の端部にヒンジ部材を介して枢支され、他端部が前記支柱にヒンジ部材を介して枢支された中央枢支部を有するほぼ４５度の傾斜に配置される少なくとも一対の伸縮リンク、この少なくとも一対の伸縮リンクの両端部に両端部が固定された一対の固定目地カバー、この一対の固定目地カバーの遊端部と所定量重なりスライド移動可能に、前記少なくとも一対の伸縮リンクの中央枢支部に支持金具を介して取付けられた可動目地カバーとからなる一対の壁用目地カバー装置とからなる壁用目地カバー装置。
【発明の詳細な説明】
【技術分野】
【０００１】
本発明は目地部を介して設けられた左右の建物の、壁面間の目地部を覆う壁用目地カバー装置に関する。
【背景技術】
【０００２】
従来のこの種の壁用目地カバー装置は両端部を左右の建物の目地部側の躯体にヒンジ゛部材を介して複数枚の目地カバーを伸縮可能に取付けている。
【０００３】
したがって、左右の建物が地震等によって異なる左右方向に揺れ動いた場合の、その揺れ動きを吸収できる量は複数枚の目地カバーの伸縮量に限定され、大きな揺れ動きは吸収できないという欠点があった。
【特許文献１】特許第３３９０３６２号
【発明の開示】
【発明が解決しようとする課題】
【０００４】
本発明は以上のような従来の欠点に鑑み、左右の建物が異なる左右方向に大きく揺れ動いても、複数枚の目地カバーの小さな伸縮移動で、その揺れ動きを閉状態で吸収して、風雨や空間の遮断を図ることができる壁用目地カバー装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して設けられた左右の建物の、目地部側の端部より内側部位の左右の躯体に両端部が枢支された中央枢支部が、常時目地部の中央部に位置する少なくとも２個以上の中央維持リンク機構と、この少なくとも２個以上の中央維持リンク機構の中央枢支部に枢支された支柱と、一端部が前記左右の建物の目地部側の端部に枢支され、他端部が前記支柱に枢支された少なくとも一対の伸縮リンク、この少なくとも一対の伸縮リンクの両端部に両端部が取付けられた複数枚の目地カバーを伸縮可能に取付けた一対の壁用目地カバー装置とで壁用目地カバー装置を構成している。
【発明の効果】
【０００７】
以上の説明から明らかなように、本発明にあっては次に列挙する効果が得られる。
【０００８】
（１）目地部を介して設けられた左右の建物の、目地部側の端部より内側部位の左右の躯体に両端部が枢支された中央枢支部が、常時目地部の中央部に位置する少なくとも２個以上の中央維持リンク機構と、この少なくとも２個以上の中央維持リンク機構の中央枢支部に枢支された支柱と、一端部が前記左右の建物の目地部側の端部に枢支され、他端部が前記支柱に枢支された少なくとも一対の伸縮リンク、この少なくとも一対の伸縮リンクの両端部に両端部が取付けられた複数枚の目地カバーを伸縮可能に取付けた一対の壁用目地カバー装置とで構成されているので、一対の壁用目地カバー装置を傾斜状態で配置されるため、左右の建物が異なる左右方向に大きく揺れ動いても、傾斜によって一対の壁用目地カバー装置の伸縮移動量を小さくすることができる。
したがって、左右方向の異なる大きな揺れ動きを効率よく吸収することができる。
【０００９】
（２）前記(１)によって、左右の建物が異なる左右方向に揺れ動いても、目地部が開口することなく、風雨や空間を閉状態で吸収することができる。
【００１０】
（３）前記（１）によって、目地部をＶ字状に覆うことができる。
したがって、美観の向上を図ることができる。
【００１１】
（４）請求項２も前記（１）〜（３）と同様な効果が得られる。
【発明を実施するための最良の形態】
【００１２】
以下、図面に示す本発明を実施するための最良の形態により、本発明を詳細に説明する。
【００１３】
図１ないし図９に示す本発明を実施するための最良の形態において、１は目地部２を介して設けられた左右の建物３、３の外壁３ａ、３ａ間の目地部２を覆う本発明の壁用目地カバー装置で、この壁用目地カバー装置１は前記左右の建物３、３の目地部側の端部４、４より内側部位、最適には前記目地部２の幅寸法のほぼ半分の寸法分だけ入り込んだ部位の左右の躯体３ｂ、３ｂに複数本のビス５で固定されたチャンネル状の取付金具６、６に両端部が枢支ピン７、７で枢支された中央枢支部８が常時目地部２の中央部に位置する、少なくとも２個以上の中央維持リンク機構９、９と、この少なくとも２個以上の中央維持リンク機構９、９の中央枢支部８、８に枢支ピン１０、１０で枢支された支柱１１と、一端部が前記左右の建物３、３の目地部側の端部４、４の躯体３ｂ、３ｂにヒンジ部材１２、１２を介して枢支され、他端部が前記支柱１１にヒンジ部材１２、１２を介して枢支された一対の壁用目地カバー装置１３、１３とで構成されている。
【００１４】
前記少なくとも２個以上の中央維持リンク機構９、９は図４に示すように、２個の四角枠が形成されるパンタグラフ形状に形成されたものが使用されている。
【００１５】
前記一対の壁用目地カバー装置１３、１３は図５および図６に示すように、目地部側の端部４、４の躯体３ｂ、３ｂおよび前記支柱１１の両側面に複数本のビス１４等で固定される先端部に軸１５が形成されたクランク状の固定部材１６、この固定部材１６の軸１５と回動可能に係合するＣ字状の軸受部１７が後端部に形成されたクランク状の可動部材１８とからなるヒンジ部材１２、１２と、このヒンジ部材１２、１２の可動部材１８、１８の外面と内面に両端部が枢支ピン１９、１９で枢支された２個の四角枠が形成されるパンタグラフ形状の少なくとも１個以上、本発明の実施の形態では２個の伸縮リンク２０、２０と、この２個の伸縮リンク２０、２０の前記支柱１１に取付けられているヒンジ部材１２、１２の可動部材１８、１８に後端部が複数本のビス２１等によって固定された先端部が該伸縮リンク２０のほぼ中央部で前方へ突出する支持片２２を有する内側固定目地カバー２３と、前記２個の伸縮リンク２０、２０の中央枢支部２０ａに後端部が枢支ピン２４、２４によって枢支され、先端部が該伸縮リンク２０、２０の中央部と外側端部とのほぼ中央部で前方へ突出する支持片２５が形成された支持部材２６と、この支持部材２６の支持片２５に複数本のビス２７等によって後端部が固定された先端部が、前記内側固定目地カバー２３のほぼ中央部で後方へ突出して、該内側固定目地カバー２３と当接する可動目地カバー２８と、前記外側のヒンジ部材１２、１２の可動部材１８、１８に後端部が複数本のビス２９等によって固定された先端部が、前記可動目地カバー２８のほぼ中央部で後方へ突出して、該可動目地カバー２８と当接する当接片３０を有する外側固定目地カバー３１とで構成されている。
【００１６】
上記構成の壁用目地カバー装置１は、通常時には図１および図２に示すように左右の建物３、３の外壁面３ａ、３ａ間の目地部２は、中央部が内側に入り込むＶ字状に配置された一対の壁用目地カバー装置１３、１３で覆われた状態となっている。
この時、一対の壁用目地カバー装置１３、１３の目地部２の中央部に位置する内側端部は少なくとも２個以上の中央維持リンク機構９、９の中央枢支部８、８に枢支された支柱１１に取付けられているため、十分な強度が得られる。
【００１７】
地震等によって左右の建物３、３が異なる左右方向に揺れ動き、目地部２が狭くなると、図７に示すように少なくとも２個以上の中央維持リンク機構９、９が収縮するが、該中央維持リンク機構９、９の中央枢支部８、８に枢支された支柱１１は狭くなった目地部２に中央部に位置するように移動する。
このため、一対の壁用目地カバー装置１３、１３は両端部のヒンジ部材１２、１２、１２、１２部で回動するとともに、前記支柱１１の移動によって内側固定目地カバー２３、可動目地カバー２８および外側固定目地カバー３１間が収縮して、その揺れ動きを吸収する。
この一対の壁用目地カバー装置１３、１３の収縮は、該一対の壁用目地カバー装置１３、１３が収縮する方向に対し、所定の角度、本発明の実施の形態では４５度傾斜しているため、目地部２の収縮量より小さな収縮量で、その揺れ動きを吸収することができる。
【００１８】
目地部２が広くなるように左右の建物３、３が揺れ動いた場合には、図８に示すように少なくとも２個以上の中央維持リンク機構９、９が伸長するとともに、一対の壁用目地カバー装置１３、１３も両端部が回動して伸長し、その揺れ動きを吸収する。
【００１９】
左右の建物３、３が異なる前後方向に揺れ動いた場合には、図９に示すように少なくとも２個以上の中央維持リンク機構９、９および一対の壁用目地カバー装置１３、１３の両端部が回動して、その揺れ動きを吸収することができる。
なお、揺れ動きが停止すると、前記いずれの状態でも元の状態に自動的に戻る。
［発明を実施するための異なる形態］
【００２０】
次に、図１０ないし図２６に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２１】
図１０ないし図１３に示す本発明を実施するための第２の形態において、前記本発明を実施するための最良の第１の形態と主に異なる点は、四角枠形状のリンク３２と、このリンク３２の対向する一方のバー部材３２ａ、３２ａのほぼ中央部に両端部が枢支ピン３３、３３で枢支された中央部に中央枢支部８が形成された中央バー３４とからなる中央維持リンク機構９Ａと、四角枠形状のリンク３５と、このリンク３５の対向する一方のバー部材３５ａ、３５ａのほぼ中央部に両端部が枢支ピン３６、３６で枢支された中央部に中央枢支部８が形成された中央バー３７とからなる伸縮リンク２０Ａを用いた一対の壁用目地カバー装置１３Ａ、１３Ａを用いた点で、このように構成した壁用目地カバー装置１Ａにしても、前記本発明を実施するための最良の第１の形態と同様な作用効果が得られる。
【００２２】
図１４ないし図１６に示す本発明を実施するための第３の形態において、前記本発明を実施するための最良の第１の形態と主に異なる点は、外側ヒンジ部材１２の可動部材１８の内面と内側ヒンジ部材１２の可動部材１８の外面とに少なくとも２対の伸縮リンク２０、２０を取付けるとともに、内側固定目地カバー２３、支持部材２６、可動目地カバー２８および外側固定目地カバー３１とを逆に設置した点で、このように構成した壁用目地カバー装置１Ｂにしても、前記本発明を実施するための最良の第１の形態と同様な作用効果が得られる。
【００２３】
図１７ないし図２０に示す本発明を実施するための第４の実施の形態において、前記本発明を実施するための最良の第１の形態と主に異なる点は、四角枠が４個の伸縮リンク２０Ｂを用いるとともに、一対の固定目地カバー３８、３８と、中央枢支部２０ａ、２０ａに支柱３９、３９を介して中央部が枢支された中央目地カバー４０と、この中央目地カバー４０と前記固定目地カバー３８、３８間を覆う支持部材２６、２６に取付けられた可動目地カバー４１、４１とを使用した一対の壁用目地カバー装置１３Ｂ、１３Ｂを用いた点で、このような一対の壁用目地カバー装置１３Ｂ、１３Ｂを用いて構成した壁用目地カバー装置１Ｃにしても、前記本発明を実施するための最良の第１の形態と同様な作用効果が得られる。
【００２４】
図２１ないし図２３に示す本発明を実施するための第５の形態において、前記本発明を実施するための第４の形態と主に異なる点は、中央枢支部２０ａ、２０ａに中央部が支持金具４２、４２を介して取付けられた中央目地カバー４０Ａと、脚部４３、４３を有する一対の固定目地カバー３８Ａ、３８Ａと、この一対の固定目地カバー３８Ａ、３８Ａと前記中央目地カバー４０Ａとの間を覆うように支持部材２６、２６を介して取付けられた可動目地カバー４１Ａ、４１Ａとを使用した一対の壁用目地カバー装置１３Ｃ、１３Ｃを用いた点で、このような一対の壁用目地カバー装置１３Ｃ、１３Ｃを用いて構成した壁用目地カバー装置１Ｄにしても、前記本発明を実施するための第４の形態と同様な作用効果が得られる。
【００２５】
図２４ないし図２６に示す本発明を実施するための第６の形態において、前記本発明を実施するための最良の第１の形態と主に異なる点は、先端部がＶ字あるいは半円弧状、本発明の実施の形態ではＶ字状の凹部４４が形成された一方の固定目地カバー４５と、この一方の固定目地カバー４５の先端部と所定量重なり、スライド移動可能な他方の固定目地カバー４６とを用いた一対の壁用目地装置１３Ｄ、１３Ｄを用いた点で、このような一対の壁用目地カバー装置１３Ｄ、１３Ｄを用いて構成した壁用目地カバー装置１Ｅにしても、前記本発明を実施するための最良の第１の形態と同様な作用効果が得られる。
【産業上の利用可能性】
【００２６】
本発明は壁用目地カバー装置を製造する産業、および設置する産業で利用される。
【図面の簡単な説明】
【００２７】
【図１】本発明を実施するための最良の第１の形態の正面図。
【図２】本発明を実施するための最良の第１の形態の背面図。
【図３】図１の３−３線に沿う拡大断面図。
【図４】本発明を実施するための最良の第１の形態の中央維持リンク機構の説明図。
【図５】本発明を実施するための最良の第１の形態の一対の壁用目地カバー装置の平面図。
【図６】本発明を実施するための最良の第１の形態の一対の壁用目地カバー装置の背面図。
【図７】本発明を実施するための最良の第１の形態の目地部が狭くなった動作説明図。
【図８】本発明を実施するための最良の第１の形態の目地部が広くなった動作説明図。
【図９】本発明を実施するための最良の第１の形態の前後方向の動作説明図。
【図１０】本発明を実施するための第２の形態の正面図。
【図１１】本発明を実施するための第２の形態の背面図。
【図１２】図１０の１２−１２線に沿う拡大断面図。
【図１３】本発明を実施するための第２の形態の伸縮リンクの説明図。
【図１４】本発明を実施するための第３の形態の正面図。
【図１５】本発明を実施するための第３の形態の背面図。
【図１６】図１４の１６−１６線に沿う拡大断面図。
【図１７】本発明を実施するための第４の形態の正面図。
【図１８】本発明を実施するための第４の形態の背面図。
【図１９】図１７の１９−１９線に沿う拡大断面図。
【図２０】本発明を実施するための第４の形態の伸縮リンクの説明図。
【図２１】本発明を実施するための第５の形態の正面図。
【図２２】本発明を実施するための第５の形態の背面図。
【図２３】図２１の２３−２３線に沿う拡大断面図。
【図２４】本発明を実施するための第６の形態の正面図。
【図２５】本発明を実施するための第６の形態の背面図。
【図２６】図２４の２６−２６線に沿う拡大断面図。
【符号の説明】
【００２８】
１、１Ａ、１Ｂ、１Ｃ、１Ｄ、１Ｅ：壁用目地カバー装置、
２：目地部、              ３：建物、
３ａ：外壁                              ３ｂ：躯体、
４：端部、                              ５：ビス、
６：取付金具、                      ７：枢支ピン、
８：中央枢支部、
９、９Ａ：中央維持リンク機構、
１０：枢支ピン、                  １１：支柱、
１２：ヒンジ部材、
１３、１３Ａ、１３Ｂ、１３Ｃ、１３Ｄ：一対の壁用目地カバー装置、
１４：ビス、                                      １５：軸、
１６：固定部材、                  １７：軸受部、
１８：可動部材、                  １９：枢支ピン、
２０、２０Ａ、２０Ｂ：伸縮リンク、
２１：ビス、                                    ２２：支持片、
２３：内側固定目地カバー、２４：枢支ピン、
２５：支持片、                      ２６：支持部材、
２７：ビス、                                    ２８：可動目地カバー、
２９：ビス、                                      ３０：当接片、
３１：外側固定目地カバー、３２：リンク、
３３：枢支ピン、                  ３４：中央バー、
３５：リンク、                      ３６：枢支ピン、
３７：中央バー、                  ３８、３８Ａ：固定目地カバー、
３９：支柱、                                      ４０、４０Ａ：中央目地カバー、
４１、４１Ａ：可動目地カバー、
４２：支持金具、                  ４３：脚部、
４４：凹部、                                      ４５：一方の固定目地カバー、
４６：他方の固定目地カバー。
【図１】
2005054425.tif 000003
【図２】
2005054425.tif 000004
【図３】
2005054425.tif 000005
【図４】
2005054425.tif 000006
【図５】
2005054425.tif 000007
【図６】
2005054425.tif 000008
【図７】
2005054425.tif 000009
【図８】
2005054425.tif 000010
【図９】
2005054425.tif 000011
【図１０】
2005054425.tif 000012
【図１１】
2005054425.tif 000013
【図１２】
2005054425.tif 000014
【図１３】
2005054425.tif 000015
【図１４】
2005054425.tif 000016
【図１５】
2005054425.tif 000017
【図１６】
2005054425.tif 000018
【図１７】
2005054425.tif 000019
【図１８】
2005054425.tif 000020
【図１９】
2005054425.tif 000021
【図２０】
2005054425.tif 000022
【図２１】
2005054425.tif 000023
【図２２】
2005054425.tif 000024
【図２３】
2005054425.tif 000025
【図２４】
2005054425.tif 000026
【図２５】
2005054425.tif 000027
【図２６】
2005054425.tif 000028